(57)【要約】【課題】グループ整定値を柔軟に編集できるディジタル保護制御装置及び整定値編集装置を提供する。【解決手段】部分的に記憶用整定領域４０３の整定値を実運用設定領域に引用する、逆に実運用設定領域から記憶用整定領域４０３へ部分的に整定値を上書きする機能を入出力制御部４０１が備えることで、ディジタル保護制御装置１０１はグループ整定値を柔軟に編集できる。以て、ユーザは迅速に最適な整定値を容易にディジタル保護制御装置１０１に設定できる。【選択図】図７
2014003820.tif 000002
【特許請求の範囲】
【請求項１】
記憶部と、
前記記憶部に設けられ、継電器を含む制御対象を制御するための整定値と、前記整定値を一意に識別する識別子の組よりなる第一のグループ整定値を保存する第一整定領域と、
前記記憶部に設けられ、前記第一のグループ整定値と等しい前記識別子と、前記識別子に対応する前記整定値の組よりなる第二のグループ整定値を保存する第二整定領域と、
前記記憶部に設けられ、前記制御対象に適用する前記整定値と、前記整定値に対応する前記識別子の組よりなる実運用グループ整定値が格納される実運用整定領域と、
前記第一のグループ整定値、前記第二のグループ整定値及び前記実運用グループ整定値に対する編集操作を受け付ける操作部の操作に従って、前記第一のグループ整定値、前記第二のグループ整定値及び前記実運用グループ整定値を表示部に表示させると共に、前記第一のグループ整定値から第一の識別子と前記第一の識別子に対応する第一の整定値を読み出すと共に、前記第二のグループ整定値から前記第一の識別子と異なる第二の識別子と前記第二の識別子に対応する第二の整定値を読み出して、前記第一の整定値及び前記第二の整定値を前記実運用整定領域へ書き込み、前記制御対象に前記実運用グループ整定値に基づく制御命令を出力する入出力制御部と
を具備するディジタル保護制御装置。
【請求項２】
前記入出力制御部は、前記操作部の操作に従って、前記第一のグループ整定値から第一の識別子と前記第一の識別子に対応する第一の整定値を読み出すと共に、前記第二のグループ整定値から前記第一の識別子と異なる第二の識別子と前記第二の識別子に対応する第二の整定値を読み出して、前記第一の整定値及び  前記第二の整定値を前記実運用整定領域から第三の識別子と前記第三の識別子に対応する第三の整定値を読み出すと共に、前記操作部の操作に従って、前記第三の整定値を前記第一整定領域及び前記第二整定領域へ書き込むか、或は前記第一整定領域又は前記第二整定領域へ書き込む、
請求項１記載のディジタル保護制御装置。
【請求項３】
前記第一のグループ整定値、前記第二のグループ整定値及び前記実運用グループ整定値は、複数の前記識別子に共通に付与されるラベルを備え、
前記入出力制御部は、前記操作部の操作に従って、前記ラベルが指定された場合に、前記ラベルに属する複数の前記識別子に対応する複数の前記整定値を前記第一整定領域、前記第二整定領域及び／又は前記実運用整定領域に書き込む、
請求項２記載のディジタル保護制御装置。
【請求項４】
記憶部と、
前記記憶部に設けられ、制御対象を制御するための整定値と、前記整定値を一意に識別する識別子の組よりなる第一のグループ整定値を保存する第一整定領域と、
前記記憶部に設けられ、前記第一のグループ整定値と等しい前記識別子と、前記識別子に対応する前記整定値の組よりなる第二のグループ整定値を保存する第二整定領域と、
前記記憶部に設けられ、前記制御対象に適用する前記整定値と、前記整定値に対応する前記識別子の組よりなる実運用グループ整定値が格納される実運用整定領域と、
前記第一のグループ整定値、前記第二のグループ整定値及び前記実運用グループ整定値に対する編集操作を受け付ける操作部の操作に従って、前記第一のグループ整定値、前記第二のグループ整定値及び前記実運用グループ整定値を表示部に表示させると共に、前記第一のグループ整定値から第一の識別子と前記第一の識別子に対応する第一の整定値を読み出すと共に、前記第二のグループ整定値から前記第一の識別子と異なる第二の識別子と前記第二の識別子に対応する第二の整定値を読み出して、前記第一の整定値及び前記第二の整定値を前記実運用整定領域へ書き込み、前記制御対象に前記実運用グループ整定値に基づく制御命令を出力する入出力制御部と
を具備する整定値編集装置。
【発明の詳細な説明】
【技術分野】
【０００１】
本発明は、電力系統の制御と保護を行うディジタル保護制御装置と、整定値編集装置に関する。
【背景技術】
【０００２】
ディジタル保護制御装置は、電力系統の発電所や変電所に設置されている遮断器の開閉状態や変圧器のタップ値を制御することによって、需要家に安定した電力を供給すると共に、不慮の事故に対し電力系統や電力機器を保護する役割を担う。
ディジタル保護制御装置は、一般的に、アナログ入力部、ディジタル演算処理部及び出力部を備える。
アナログ入力部は、高調波除去用のアナログフィルタとＡ／Ｄ変換器を有する。このアナログ入力部は、電力系統から電圧信号又は電流信号のアナログ信号を受けて、アナログ入力信号のうち基本波に重畳された高調波成分をアナログフィルタにより除去する。そして、アナログフィルタの出力信号を一般的には電気角３０度（サンプリング周波数６００Ｈｚまたは７２０Ｈｚ）の周期でサンプリングすることで、アナログ信号をディジタル信号に変換する。
ディジタル演算処理部は、このディジタル信号から電力系統の電圧及び電流の大きさ、またはインピーダンスを演算し、それらに対する所定の論理判定を実施することにより、遮断器や変圧器を制御する制御信号を発生する。そして、この制御信号はディジタル出力部から出力される。
【０００３】
ディジタル保護制御装置は遮断器の開閉状態を切換えて電力系統や電力機器を保護する目的の他、変圧器のタップを制御する目的としても用いられる。ディジタル保護制御装置は、需要家の需要状況に応じて、常に電力系統の電圧や周波数を最適な状態に維持するため、予め設定された設定値(整定値)に応じた装置内部のリレー(継電器)の演算処理や判定処理を実施することにより、遮断器の開閉状態や変圧器のタップ値の制御を行う。
なお、本発明に類似すると思われる技術が開示されている先行技術文献を、特許文献１に示す。
【０００４】
ディジタル保護制御装置では、複数存在する整定値を、一括してグループ化する方法が採られる場合がある。例えば、平日の昼間は各種工業設備や商業設備等、大口需要家の電力需要が増える。したがって、変圧器の設定電圧は高めに設定する必要がある。一方、休日は工業設備の電力需要が減少するので、変圧器の設定電圧を低めに設定する必要がある。すなわち、継電器等に対する整定値の組み合わせは、平日用のグループと休日用のグループとして区別することができる。ディジタル保護制御装置は、このような整定値の組み合わせを一括して内蔵のＲＡＭに記憶し、必要に応じて読み出し、それら整定値群を一括して継電器等に設定できる。これ以降、以上のような整定値の一群をグループ整定値と呼ぶ。
【先行技術文献】
【特許文献】
【０００５】
【特許文献１】特開２０１１−２０５８１４号公報
【発明の概要】
【発明が解決しようとする課題】
【０００６】
従来のディジタル保護制御装置は、工場出荷段階においてグループ整定値が固定された値として内蔵するＲＯＭに記憶されており、グループ整定値を構成する個別の整定値を、ディジタル保護制御装置の実運用中に変更することができなかった。
【０００７】
本発明はかかる状況に鑑みてなされたものであり、グループ整定値を柔軟に編集できるディジタル保護制御装置及び整定値編集装置を提供することを目的とする。
【課題を解決するための手段】
【０００８】
上記課題を解決するために、本発明のディジタル保護制御装置は、記憶部と、記憶部に設けられ、継電器を含む制御対象を制御するための整定値と、整定値を一意に識別する識別子の組よりなる第一のグループ整定値を保存する第一整定領域と、記憶部に設けられ、第一のグループ整定値と等しい識別子と、識別子に対応する整定値の組よりなる第二のグループ整定値を保存する第二整定領域と、記憶部に設けられ、制御対象に適用する整定値と、整定値に対応する識別子の組よりなる実運用グループ整定値が格納される実運用整定領域とを備える。
そして入出力制御部は、第一のグループ整定値、第二のグループ整定値及び実運用グループ整定値に対する編集操作を受け付ける操作部の操作に従って、第一のグループ整定値、第二のグループ整定値及び実運用グループ整定値を表示部に表示させると共に、第一のグループ整定値から第一の識別子と第一の識別子に対応する第一の整定値を読み出すと共に、第二のグループ整定値から第一の識別子と異なる第二の識別子と第二の識別子に対応する第二の整定値を読み出して、第一の整定値及び第二の整定値を実運用整定領域へ書き込み、制御対象に実運用グループ整定値に基づく制御命令を出力する。
【発明の効果】
【０００９】
本発明により、グループ整定値を柔軟に編集できるディジタル保護制御装置及び整定値編集装置を提供できる。
上記した以外の課題、構成及び効果は、以下の実施形態の説明により明らかにされる。
【図面の簡単な説明】
【００１０】
【図１】本発明の一実施形態に係るディジタル保護制御装置を有する電力系統の模式図である。
【図２】本発明の一実施形態に係るディジタル保護制御装置の構成を示すブロック図である。
【図３】ＨＩ処理部のハードウェア構成を示すブロック図である。
【図４】ＨＩ処理部の機能を示すブロック図である。
【図５】グループ整定値のデータ構成とデータの一例を示す図である。
【図６】実運用整定値の更新処理の流れを説明するフローチャートである。
【図７】実運用整定値の更新処理の一例を説明する概略図である。
【図８】実運用整定値の更新処理における画面イメージの一例を示す概略図である。
【図９】記憶用設定値の更新処理の流れを説明するフローチャートである。
【図１０】記憶用設定値の更新処理の一例を説明する概略図である。
【図１１】記憶用設定値の更新処理の一例を説明する概略図である。
【図１２】記憶用設定値の更新処理における画面イメージの一例を示す概略図である。
【発明を実施するための形態】
【００１１】
［ディジタル保護制御装置の全体構成］
【００１２】
図１は、本発明の一実施形態に係るディジタル保護制御装置が設けられた電力系統の模式図である。
送電線１０２ａは、その途中から送電線１０２ｂが分岐して設けられている。送電線１０２ａには変圧器１０３ａ及び１０３ｂが設けられている。送電線１０２ｂには変圧器１０３ｃが設けられている。
このディジタル保護制御装置１０１ａは、変成器１０４ａから供給される電流又は電圧信号（アナログ信号）を受けて、遮断器１０５ａを制御する。
【００１３】
同様に、ディジタル保護制御装置１０１ｂは変成器１０４ｂから供給されるアナログ信号を受けて、遮断器１０５ｂを制御する。
同様に、ディジタル保護制御装置１０１ｃは変成器１０４ｃから供給されるアナログ信号を受けて、遮断器１０５ｃを制御する。
【００１４】
ディジタル保護制御装置１０１ａ、１０１ｂ及び１０１ｃは、ＬＡＮケーブル１０７を通じてネットワーク１０８に接続される形態をとる場合もある。ネットワーク１０８には端末１０９も接続されている。端末１０９はディジタル保護制御装置１０１ａ、１０１ｂ及び１０１ｃを遠隔制御する。
なお、ディジタル保護制御装置１０１ａ、１０１ｂ及び１０１ｃを特に区別しない場合は、ディジタル保護制御装置１０１と称することもある。
同様に、送電線１０２ａと送電線１０２ｂを特に区別しない場合は、送電線１０２と称することもある。
同様に、変圧器１０３ａ、１０３ｂ及び変圧器１０３ｃを特に区別しない場合は、変圧器１０３と称することもある。
同様に、変成器１０４ａ、変成器１０４ｂ及び変成器１０４ｃを特に区別しない場合は、変成器１０４と称することもある。
同様に、遮断器１０５ａ、遮断器１０５ｂ及び遮断器１０５ｃを特に区別しない場合は、遮断器１０５と称することもある。
【００１５】
図２は、本発明の一実施形態に係るディジタル保護制御装置の一般的な構成を示すブロック図である。
ディジタル保護制御装置１０１は、様々な形態の電力系統に対して柔軟に対応できるように、機能毎にモジュール化されている。
アナログ入出力部２０５は、入力変換器２０６と、フィルタ２０７と、Ａ／Ｄ変換器２０８と、データメモリ２０９よりなる。
制御処理部２０１と、リレー演算部２０２と、アナログ入出力部２０５と、ディジタル入出力部２１０と、ヒューマンインターフェース処理部（以下「ＨＩ処理部」と略す）２１１は、シリアルバス２１２に接続される。
【００１６】
変成器１０４等から入力される電流又は電圧信号（アナログ信号）は、アナログ入出力部２０５の入力変換器２０６によって所定のレベルの電圧信号に変換された後、フィルタ２０７によって不要な高調波成分が除去される。フィルタ２０７から出力される信号はＡ／Ｄ変換器２０８によってディジタルデータに変換された後、データメモリ２０９に蓄積される。
リレー演算部２０２はそのディジタルデータをシリアルバス２１２を経由して受け取って、リレー演算部２０２に実装されているリレー(継電器)要素の演算や判定処理を実施する。
制御処理部２０１はリレー演算部２０２での演算や判定結果の出力をシリアルバス２１２を経由して受け取って、それらに対する論理判定を実施して判定結果をディジタル入出力部２１０に対し、シリアルバス２１２を経由して制御信号として出力する。
ディジタル入出力部２１０は、制御処理部２０１から制御信号に従って遮断器１０５を制御すると共に、遮断器１０５から状態情報をディジタル入力信号として取得する。
【００１７】
図３は、ＨＩ処理部２１１の一般的なハードウェア構成を示すブロック図である。
ＨＩ処理部２１１は、周知のＣＰＵ３０１、ＲＯＭ３０２、ＲＡＭ３０３、日時情報を出力するリアルタイムクロック（以下「ＲＴＣ」と略す）３０４、ＬＥＤや液晶ディスプレイなどで構成される表示部３０５、操作ボタンなどで構成される操作部３０６、ＮＩＣ（Network Information Card）３０７及びインターフェース（以下「Ｉ／Ｆ」と略す）３０８がバス３０９に接続されており、周知のマイクロコンピュータを構成する。
ＨＩ処理部２１１は制御処理部２０１における制御情報の表示、操作やリレー演算部２０２に実装されているリレー(継電器)の整定値の表示及び変更操作を行う。ＨＩ処理部２１１はＲＯＭ３０２に格納されているプログラムに従って動作する。ＨＩ処理部２１１はプログラムに従って、記憶部を構成するＲＡＭ３０３に格納されているグループ整定値に基づく制御コマンドを、シリアルバス２１２に接続されるＩ／Ｆ３０８を通じて制御処理部２０１に送信する。また、ＨＩ処理部２１１はプログラムに従って、制御処理部２０１からステータス情報を受信する。この他、ＲＯＭ３０２にはｗｅｂサーバプログラムが格納されており、ＮＩＣ３０７を通じて端末１０９のｗｅｂブラウザから制御の指示を受信することもできる。
【００１８】
図４は、ＨＩ処理部２１１の機能を示すブロック図である。
ＣＰＵ３０１がＲＯＭ３０２に格納されているプログラムを実行することにより、入出力制御部４０１とｗｅｂサーバプロセス４０２が構成される。
入出力制御部４０１は、操作部３０６の操作を受けて、ＲＡＭ３０３に形成される記憶用整定領域４０３及び実運用整定領域４０４に格納される、グループ整定値の編集を実行する。
操作部３０６による操作内容は、表示部３０５に表示される。また、入出力制御部４０１は、表示部３０５と操作部３０６に代えて、ｗｅｂサーバプロセス４０２を通じて外部の端末１０９等から操作情報を受信し、また、外部へ表示情報を送信することもできる。
記憶用整定領域４０３は、例えば第一整定領域４０５、第二整定領域４０６及び第三整定領域４０７に分けられる。つまり、ＨＩ処理部２１１は、実運用整定領域４０４に適用するためのグループ整定値を三つまでセーブできる。
第一整定領域４０５は、第一のグループ整定値が格納される。図７以降で後述する事例では、ラベル名「Ａグループ」に該当する。
第二整定領域４０６は、第二のグループ整定値が格納される。図７以降で後述する事例では、ラベル名「Ｂグループ」に該当する。
第三整定領域４０７は、第三のグループ整定値が格納される。図７以降で後述する事例では、ラベル名「Ｃグループ」に該当する。
実運用整定領域４０４は、実際に運用されている整定値が格納される。実運用整定領域４０４に整定値を格納すると、入出力制御部４０１はそれを制御処理部２０１に送信する。制御処理部２０１はその実運用整定値を受けとると、シリアルバス２１２を経由してそれをリレー演算部２０２に受け渡し、その結果、その実運用整定値がリレー(継電器)要素の演算や判定処理に反映されることになる。
なお、記憶用整定領域４０３に設けられる第一整定領域４０５、第二整定領域４０６及び第三整定領域４０７は、必ずしもこの三つでなければならない訳ではなく、少なくとも二つ以上あればよい。もちろん、この整定領域の数は多ければ多いほど利便性が向上する。
【００１９】
図５（ａ）及び（ｂ）は、グループ整定値のデータ構成とデータの一例を示す図である。なお、図５（ａ）及び（ｂ）に示すデータの一例は、図７と対応している。
グループ整定値は、大きく二種類に分けられる。一つは図５（ａ）に示すテーブル形式の整定値である。もう一つは図５（ｂ）に示す単一の整定値である。
図５（ａ）は、テーブル形式の整定値の一例である。
テーブル形式の整定値は、第一ラベル名フィールドと、第二ラベル名フィールドと、識別子フィールドと、第一項目名フィールドと、第二項目名フィールドと、テーブルレコード数フィールドと、テーブルアドレスフィールドよりなる。
第一ラベル名フィールドには、グループ整定値のグループ名に付与するラベル名が格納される。本実施形態の場合は、「Ａグループ」「Ｂグループ」「Ｃグループ」の何れかである。
第二ラベル名フィールドには、整定値のテーブルに付与するラベル名が格納される。
識別子フィールドには、第一ラベル名が等しい全ての整定値の項目を一意に識別するための情報が格納される。本実施形態では一例として、１から始まり、連続してインクリメントする番号を付している。
第一項目名フィールドには、整定値のテーブルの一番目のフィールドの名称が格納される。
第二項目名フィールドには、整定値のテーブルの二番目のフィールドの名称が格納される。
テーブルレコード数フィールドには、整定値のテーブルの総レコード数が格納される。
テーブルアドレスフィールドには、整定値のテーブルの、ＲＡＭ３０３内の先頭アドレスが格納される。
【００２０】
図５（ｂ）は、単一の整定値の一例である。
単一の整定値は、第一ラベル名フィールドと、第二ラベル名フィールドと、識別子フィールドと、項目名フィールドと、整定値フィールドよりなる。
第一ラベル名フィールドは、テーブル形式の整定値における同名のフィールドと同じである。
第二ラベル名フィールドには、整定値に付与するラベル名が格納される。なお、図５（ｂ）中、「ｎｕｌｌ」と記述されている箇所は、ラベル名がないことを示す。
識別子フィールドは、図５（ａ）に示したテーブル形式の整定値における同名のフィールドと同じである。
項目名フィールドには、整定値の名称が格納される。
整定値フィールドには、整定値が格納される。
【００２１】
図５（ｂ）に示す単一の整定値は、整定値の項目毎に単一の整定値が格納される。したがって、単一の整定値に割り当てられるＲＡＭ３０３の領域は固定長である。
これに対し、図５（ａ）に示すテーブル形式の整定値は、第一フィールドの値と第二フィールドの値の組よりなるレコードが複数個存在すると共に、レコードの数が任意に変化する可能性がある。したがって、テーブル形式の整定値に割り当てられるＲＡＭ３０３の領域は可変長である。勿論、レコード数はある程度の上限数を設けておく必要があるだろう。
【００２２】
識別子について、以下に説明する。
図５（ａ）及び（ｂ）は、紙面の都合上、Ａグループのグループ整定値のみ例示した。整定値の識別子は、第一ラベル名が等しい全ての整定値を一意に識別する為に設けられている。つまり、Ｂグループ及びＣグループには、同じ識別子を持つレコードが存在する。また、実運用整定領域４０４においても、識別子が設けられている。
入出力制御部４０１は、記憶用整定領域４０３から実運用整定領域４０４に整定値を書き込む（ロード）、または逆に実運用整定領域４０４から記憶用整定領域４０３へ整定値を書き込む（セーブ）、何れの動作においても、識別子を基準に行う。
【００２３】
［ディジタル保護制御装置の動作］
入出力制御部４０１（図４参照）は、実運用整定領域４０４に対する整定値の編集機能と、グループ整定値を保持する第一整定領域４０５乃至第三整定領域４０７に対する整定値の編集機能を備える。
図６は、実運用整定値の更新処理の流れを説明するフローチャートである。
処理を開始すると（Ｓ６０１）、入出力制御部４０１は実運用整定領域４０４に格納されているグループ整定値を表示部３０５に表示して（Ｓ６０２）、操作部３０６からユーザの選択操作を待つ（Ｓ６０３）。
選択操作が第一ラベル名又は第二ラベル名を指定した操作であるならば（Ｓ６０４のＹＥＳ）、入出力制御部４０１は、第一整定領域４０５、第二整定領域４０６及び第三整定領域４０７のうち、現在選択している記憶用整定領域４０３に記憶されているグループ整定値から、操作部３０６を通じて指定されたラベル名が付されている全ての整定値を読み出す。そして、整定値に付されている識別子フィールドに従って、実運用整定領域４０４の対応する箇所に上書きする（Ｓ６０５）。この処理が終了した後、入出力制御部４０１はステップＳ６０２に戻る。
【００２４】
選択操作が項目名を指定した操作であるならば（Ｓ６０４のＮＯからＳ６０６のＹＥＳ）、入出力制御部４０１は、操作部３０６を通じて第一整定領域４０５、第二整定領域４０６及び第三整定領域４０７の内の指定された記憶用整定領域４０３から、指定された項目名の整定値を読み出す。そして、整定値に付されている識別子フィールドに従って、実運用整定領域４０４の対応する箇所に上書きする（Ｓ６０７）。この処理が終了した後、入出力制御部４０１はステップＳ６０２に戻る。
選択操作が整定値のテーブルのレコードを指定した操作であるならば（Ｓ６０６のＮＯからＳ６０８のＹＥＳ）、入出力制御部４０１は、第一整定領域４０５、第二整定領域４０６及び第三整定領域４０７のうち、現在選択している記憶用整定領域４０３に記憶されているグループ整定値から、操作部３０６を通じて指定されたテーブルの指定されたレコードと、テーブルに付されている識別子フィールドを読み出す。そして、整定値に付されている識別子フィールドに従って、実運用整定領域４０４の対応する箇所に上書きする（Ｓ６０９）。この処理が終了した後、入出力制御部４０１はステップＳ６０２に戻る。
選択操作が編集操作を終了する操作であるならば（Ｓ６０８のＮＯ）、入出力制御部４０１は一連の処理を終了する（Ｓ６１０）。
【００２５】
図７は、実運用整定値の更新処理の一例を説明する概略図である。
第一整定領域４０５はラベル名「Ａグループ」のグループ整定値が格納される。
Ａグループには、「平日１」というラベル名の、時刻と電圧のテーブルと、「サイトα」というラベル名の、電流とインピーダンスの値の組と、ラベル名がない（ｎｕｌｌ）、零相電圧の値、動作時間の値、及び比率差動継電器が実装されている場合の整定値である比率の値が格納されている。
第二整定領域４０６はラベル名「Ｂグループ」のグループ整定値が格納される。
Ｂグループには、「平日２」というラベル名の、時刻と電圧のテーブルと、「サイトβ」というラベル名の、電流とインピーダンスの値の組と、ラベル名がない、零相電圧の値、動作時間の値、比率の値が格納されている。
第三整定領域４０７はラベル名「Ｃグループ」のグループ整定値が格納される。
Ｃグループには、「休日」というラベル名の、時刻と電圧のテーブルと、「サイトγ」というラベル名の、電流とインピーダンスの値の組と、ラベル名がない、零相電圧の値、動作時間の値、比率の値が格納されている。
【００２６】
ユーザが操作部３０６を操作して、「平日１」というラベル名を選択して実運用整定領域４０４にコピーする指令を行うと、入出力制御部４０１はＡグループの「平日１」に属するテーブルを、実運用整定領域４０４にコピーする。
ユーザが操作部３０６を操作して、「サイトγ」というラベル名を選択して実運用整定領域４０４にコピーする指令を行うと、入出力制御部４０１はＣグループの「サイトγ」に属する電流の値とインピーダンスの値を、実運用整定領域４０４にコピーする。
ユーザが操作部３０６を操作して、Ｂグループの「零相電圧」という項目名を選択して実運用整定領域４０４にコピーする指令を行うと、入出力制御部４０１はＢグループの「零相電圧」の値を、実運用整定領域４０４にコピーする。
ユーザが操作部３０６を操作して、Ａグループの「動作時間」という項目名を選択して実運用整定領域４０４にコピーする指令を行うと、入出力制御部４０１はＡグループの「動作時間」の値を、実運用整定領域４０４にコピーする。
ユーザが操作部３０６を操作して、Ａグループの「比率」という項目名を選択して実運用整定領域４０４にコピーする指令を行うと、入出力制御部４０１はＡグループの「比率」の値を、実運用整定領域４０４にコピーする。
以上の作業によって、第一整定領域４０５、第二整定領域４０６及び第三整定領域４０７から、各々の整定値を部分的に実運用整定領域４０４にコピーして、新たなグループ整定値を形成することができる。
【００２７】
図８は、実運用整定値の更新処理における画面イメージの一例を示す概略図である。図８は、操作部３０６の図示しないカーソル移動ボタンを操作することで、周知の画面スクロールを伴ってＡグループの設定内容を液晶ディスプレイなどに表示したイメージを示している。なお、図８中、表示部３０５にはＡグループの設定内容のみ表示されているが、操作部３０６の図示しないカーソル移動ボタンを操作することで、周知の画面スクロールを伴ってＢグループ及びＣグループの設定内容も表示できる。
操作部３０６の図示しないカーソル移動ボタンを操作すると、表示部３０５の表示画面の中でカーソルがラベルや項目の表示箇所へ移動する。
カーソルが「Ａグループ」を指定する位置Ｐ８０１に位置しているとき、実運用整定値に設定する対象はラベル「Ａグループ」に属するグループ整定値全体である。
カーソルが「平日１」を指定する位置Ｐ８０２に位置しているとき、実運用整定値に設定する対象はラベル「Ａグループ」のラベル「平日１」に属する時刻と電圧のテーブル全体である。
カーソルが時刻と電圧のテーブルの第一番目のレコードを示す位置Ｐ８０３に位置しているとき、実運用整定値に設定する対象はラベル「Ａグループ」のラベル「平日１」に属する時刻と電圧のテーブルのうち、第一のレコードである。
以上の説明で判るように、テーブル形式の整定値において、カーソルが移動すると実運用整定値に設定する対象の範囲が変化する。
【００２８】
カーソルが「サイトα」を指定する位置Ｐ８０４に位置しているとき、実運用整定値に設定する対象はラベル「Ａグループ」のラベル「サイトα」に属する、電流の整定値とインピーダンスの整定値である。
カーソルが電流の整定値を指定する位置Ｐ８０５に位置しているとき、実運用整定値に設定する対象はラベル「Ａグループ」のラベル「サイトα」に属する、電流の整定値である。
カーソルがインピーダンスの整定値を指定する位置Ｐ８０６に位置しているとき、実運用整定値に設定する対象はラベル「Ａグループ」のラベル「サイトα」に属する、インピーダンスの整定値である。
以上の説明で判るように、第二ラベル名が付されている単一の整定値においても、テーブル形式の整定値と同様に、カーソルが移動すると実運用整定値に設定する対象の範囲が変化する。
【００２９】
カーソルが零相電圧の整定値を指定する位置Ｐ８０７に位置しているとき、実運用整定値に設定する対象はラベル「Ａグループ」のラベル「ｎｕｌｌ」に属する、零相電圧の整定値である。
カーソルが動作時間の整定値を指定する位置Ｐ８０８に位置しているとき、実運用整定値に設定する対象はラベル「Ａグループ」のラベル「ｎｕｌｌ」に属する、動作時間の整定値である。
カーソルが比率の整定値を指定する位置Ｐ８０９に位置しているとき、実運用整定値に設定する対象はラベル「Ａグループ」のラベル「ｎｕｌｌ」に属する、比率の整定値である。
以上の説明で判るように、第二ラベル名が付されていない単一の整定値においては、カーソルが移動すると実運用整定値に設定する対象が一つずつ選択される。
【００３０】
図９は、記憶用設定値の更新処理の流れを説明するフローチャートである。
処理を開始すると（Ｓ９０１）、入出力制御部４０１は実運用整定領域４０４に格納されているグループ整定値を表示部３０５に表示して（Ｓ９０２）、操作部３０６からユーザの選択操作を待つ（Ｓ９０３）。
選択操作が全グループを指定した操作であるならば（Ｓ９０４のＹＥＳ）、入出力制御部４０１は、現在選択されているラベル名、項目名或はレコードを、第一整定領域４０５、第二整定領域４０６及び第三整定領域４０７の全てにおける、該当する箇所に上書きする（Ｓ９０５）。そして、一連の処理を終了する（Ｓ９０６）。
選択操作が特定のグループを指定した操作であるならば（Ｓ９０４のＮＯ）、入出力制御部４０１は、現在選択されているラベル名、項目名或はレコードを、第一整定領域４０５、第二整定領域４０６及び第三整定領域４０７のうちの指定された一つにおける、該当する箇所に上書きする（Ｓ９０７）。そして、一連の処理を終了する（Ｓ９０６）。
【００３１】
図１０は、記憶用設定値の更新処理の一例を説明する概略図である。
ユーザが操作部３０６を操作して、実運用整定領域４０４の「零相電圧」という項目名を選択して、全ての記憶用整定領域４０３へコピーする指令を行うと、入出力制御部４０１は実運用整定領域４０４の「零相電圧」の値を、第一整定領域４０５、第二整定領域４０６及び第三整定領域４０７にコピーする。
以上の作業によって、第一整定領域４０５、第二整定領域４０６及び第三整定領域４０７において、特定の整定値をグループ毎の整定値の対象から実質的に外すことができる。
【００３２】
図１１は、記憶用設定値の更新処理の一例を説明する概略図である。
ユーザが操作部３０６を操作して、実運用整定領域４０４の「動作時間」という項目名を選択して、第一整定領域４０５へコピーする指令を行うと、入出力制御部４０１は実運用整定領域４０４の「動作時間」の値を、第一整定領域４０５にコピーする。
「動作時間」の値は、それまでは全ての記憶用整定領域４０３において同じ値だったが、以上の作業によって、グループ毎の整定値の対象から外れていた特定の整定値を、特定の記憶用整定領域４０３においてグループ毎の整定値の対象に含めることができる。
【００３３】
なお、表示部３０５と操作部３０６は、ｗｅｂブラウザが稼働する端末１０９にそのまま置き換えることができる。
【００３４】
図１２（ａ）及び（ｂ）は、記憶用設定値の更新処理における画面イメージの一例を示す概略図である。
図１２（ａ）は、選択した整定値を全てのグループ整定値に上書きする場合の画面イメージの一例であり、図１０に対応する。グループ名を示すチェックボックス１２０１、１２０２及び１２０３に全てチェックを付することで、「零相電圧：３０Ｖ」という整定値を、Ａグループ、Ｂグループ及びＣグループに上書きできる。
図１２（ｂ）は、選択した整定値を特定のグループ整定値に上書きする場合の画面イメージの一例であり、図１１に対応する。Ａグループ名を示すチェックボックス１２０１のみチェックを付することで、「動作時間：０．２ｓｅｃ」という整定値を、Ａグループにのみ上書きできる。
【００３５】
以上説明した実施形態には、以下に記す応用例が可能である。
（１）以上に説明した動作の例では、第二ラベル名まで使用していた。第二ラベル名が、第一ラベル名を更に細分化する下位の階層を示す名称として利用できることは、図８で明らかである。そして、ラベル名によって作成される階層の概念は、必要に応じて三個以上設けてもよい。つまり、第二ラベル名の更に下位の層に位置する第三ラベル名、第四ラベル名…を設けてもよい。
【００３６】
（２）本実施形態にて説明したディジタル保護制御装置１０１は、遮断器１０５ａ等の電力系統に設置される電力機器を制御する整定値をグループ整定値として扱っているが、グループ整定値には電力機器を制御する整定値以外の、任意の設備や機器に対する設定情報を含めてもよい。例えば、揚水発電を含めた水運用システムの制御にかかる情報を扱うべく、ディジタル保護制御装置１０１にプラント制御のための機能を追加することも可能である。
【００３７】
（３）本実施形態では、ディジタル保護制御装置１０１におけるグループ整定値の編集方法に関して説明したが、本実施形態にかかる技術思想が適用される技術分野はディジタル保護制御装置１０１に限られない。多数の設定項目を備える電子機器であれば、本実施形態にかかる技術思想を適用可能である。例えば、プラント制御システムやネットワーク接続制御装置等、本技術思想の応用範囲は広い。
【００３８】
本実施形態では、ディジタル保護制御装置１０１を開示した。
ディジタル保護制御装置１０１が利用する、多数の整定値の集合体であるグループ整定値のそれぞれに識別子を付与して、一意性を持たせる。入出力制御部４０１は、識別子で特定される一以上の整定値や、単独の整定値を二以上のグループ整定値から引用して、実運用整定領域４０４にコピーする。
また、入出力制御部４０１は、実運用制定領域に格納されているグループ整定値のうち、特定した一以上の整定値を、全ての記憶用整定領域４０３か選択した記憶用整定領域４０３の何れかへ選択的にコピーする。
このように、部分的に記憶用整定領域４０３の整定値を実運用整定領域４０４に引用する、逆に実運用整定領域４０４から記憶用整定領域４０３へ部分的に整定値を上書きする機能を入出力制御部４０１が備えることで、ディジタル保護制御装置１０１はグループ整定値を柔軟に編集できる。以て、ユーザは迅速に最適な整定値を容易にディジタル保護制御装置１０１に設定できる。
また、グループ整定値の編集作業を効率良く行うため、複数の整定値を分類するラベル名を付与するとなおよい。
【００３９】
以上、本発明の実施形態例について説明したが、本発明は上記実施形態例に限定されるものではなく、特許請求の範囲に記載した本発明の要旨を逸脱しない限りにおいて、他の変形例、応用例を含む。
例えば、上記した実施形態例は本発明をわかりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加・削除・置換をすることも可能である。
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性或は不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【００４０】
１０１…ディジタル保護制御装置、、１０２…送電線、１０３ａ、１０３ｂ、１０３ｃ…変圧器、１０４…変成器、１０５…遮断器、１０７…ＬＡＮケーブル、１０８…ネットワーク、１０９…端末、２０１…制御処理部、２０２…リレー演算部、２０５…アナログ入出力部、２０６…入力変換器、２０７…フィルタ、２０８…Ａ／Ｄ変換器、２０９…データメモリ、２１０…ディジタル入出力部、２１１…ＨＩ処理部、２１２…シリアルバス、３０１…ＣＰＵ、３０２…ＲＯＭ、３０３…ＲＡＭ、３０４…リアルタイムクロック、３０５…表示部、３０６…操作部、３０７…ＮＩＣ、３０８…インターフェース、３０９…バス、４０１…入出力制御部、４０２…ｗｅｂサーバプログラム、４０３…記憶用整定領域、４０４…実運用整定領域、４０５…第一整定領域、４０６…第二整定領域、４０７…第三整定領域、１２０１、１２０２、１２０３…チェックボックス
【図１】
2014003820.tif 000003
【図２】
2014003820.tif 000004
【図３】
2014003820.tif 000005
【図４】
2014003820.tif 000006
【図５】
2014003820.tif 000007
【図６】
2014003820.tif 000008
【図７】
2014003820.tif 000009
【図８】
2014003820.tif 000010
【図９】
2014003820.tif 000011
【図１０】
2014003820.tif 000012
【図１１】
2014003820.tif 000013
【図１２】
2014003820.tif 000014